(57)【特許請求の範囲】
【請求項１】
操作部の操作により被検眼に対する複数の検査項目から任意の検査項目を選択し、視力表装置により選択した検査項目に応じた検眼チャートを被検眼に提示し、検査項目に応じて光学的条件を変更可能な検眼ユニットを用いて被検眼の検眼を実行する検眼装置において、前記複数の検査項目を表示するとともに、各検査項目に応じた複数の検眼チャートに対応する操作視標を表示する検眼チャート表示欄と、選択した検査項目の検眼チャートに対応する操作視標を表示する操作視標表示欄とを有する操作表示手段と、複数の検査項目に応じた複数の検眼チャートに対応する操作視標を記憶した記憶手段と、前記操作部により任意の検査項目が選択されたとき、前記検眼チャート表示欄に表示されている複数の検眼チャートのうちの当該選択された検査項目に適合する単数若しくは複数の操作視標に残余の操作視標と異なる識別情報を付すとともに、識別情報を付した単数の操作視標若しくは複数の操作視標のうちの当該検査項目に最も適合する又は予め記憶されている操作視標を選別して、前記操作視標表示欄に表示させる操作視標判別制御手段と、を有することを特徴とする検眼装置。
【請求項２】
被検眼に対する複数の検査項目から任意の検査項目を選択し、視力表装置により選択した検査項目に応じた検眼チャートを被検眼に提示し、検査項目に応じて光学的条件を変更可能な検眼ユニットを用いて被検眼の検眼を実行する検眼装置において、複数の検眼チャートに対応する操作視標を表示する検眼チャート表示欄と、選択した検査項目の検眼チャートに対応する操作視標の操作視標表示欄とを有する操作表示手段と、複数の検査項目に応じた複数の検眼チャートに対応する操作視標を記憶した記憶手段と、被検眼に対する複数の検査項目が任意の順序で登録された項目記憶手段と、複数の検査項目の各々に適合した操作視標を示す操作視標情報を記憶した視標情報記憶手段と、前記項目記憶手段に記憶された任意の順序の検査項目に従って検眼を行う際、視標情報記憶手段を参照して、前記検眼チャート表示欄に表示されている複数の検眼チャートのうちの当該検査項目に適合する又は予め記憶されている単数若しくは複数の操作視標に残余の操作視標と異なる識別情報を付すとともに、識別情報を付した単数の操作視標若しくは複数の操作視標のうちの当該検査項目に最も適合する操作視標を選別して、前記操作視標表示欄に表示させる操作視標判別制御手段と、を有することを特徴とする検眼装置。
【発明の詳細な説明】
【０００１】
【発明の属する技術分野】
本発明は、検眼装置に関する。
【０００２】
【従来の技術】
従来、プログラム検眼の手法により操作者が被検眼に対する検査項目を選択し検査を進行する場合に、予め定められた検眼チャートのみが自動的にセットされ、定められた検眼チャート以外の検眼チャートを使用することは殆ど無かった。
【０００３】
また、定められた検眼チャート以外の検眼チャートを推奨するようなことも行われていなかった。
【０００４】
さらに、現在プログラム検眼を実行する自覚式検眼装置では、検者が独自に検眼手順をプログラミングして記憶手段に登録することも可能である。
【０００５】
【発明が解決しようとする課題】
しかし、例えば、ある一つの眼鏡店等において、同じ検眼装置を複数台導入し、各検眼装置を使用して検眼を行う場合でも、各検眼装置を動作させるための検眼プログラム（手順）を個々に登録しなければならず、各検眼装置に共通の検眼プログラムを同時に登録するような事は行われていない。
【０００６】
一般に、検眼手順には幾つかの検査項目が含まれ、また、各検査項目においてどのようにチャートを使用するかは個々の眼鏡店において相違する。
【０００７】
しかし、同一の眼鏡店等においては、全ての検眼装置に対して共通の検眼プログラムを同時に登録することができれば極めて効率的である。
【０００８】
そこで、本発明は、検眼時の検査者の操作性の大幅な向上を図れる検眼装置を提供することを目的とする。
【０００９】
【課題を解決するための手段】
請求項１記載の発明は、操作部の操作により被検眼に対する複数の検査項目から任意の検査項目を選択し、視力表装置により選択した検査項目に応じた検眼チャートを被検眼に提示し、検査項目に応じて光学的条件を変更可能な検眼ユニットを用いて被検眼の検眼を実行する検眼装置において、前記複数の検査項目を表示するとともに、各検査項目に応じた複数の検眼チャートに対応する操作視標を表示する検眼チャート表示欄と、選択した検査項目の検眼チャートに対応する操作視標を表示する操作視標表示欄とを有する操作表示手段と、複数の検査項目に応じた複数の検眼チャートに対応する操作視標を記憶した記憶手段と、前記操作部により任意の検査項目が選択されたとき、前記検眼チャート表示欄に表示されている複数の検眼チャートのうちの当該選択された検査項目に適合する単数若しくは複数の操作視標に残余の操作視標と異なる識別情報を付すとともに、識別情報を付した単数の操作視標若しくは複数の操作視標のうちの当該検査項目に最も適合する又は予め記憶されている操作視標を選別して、前記操作視標表示欄に表示させる操作視標判別制御手段とを有することを特徴とするものである。
【００１０】
請求項２記載の発明は、被検眼に対する複数の検査項目から任意の検査項目を選択し、視力表装置により選択した検査項目に応じた検眼チャートを被検眼に提示し、検査項目に応じて光学的条件を変更可能な検眼ユニットを用いて被検眼の検眼を実行する検眼装置において、複数の検眼チャートに対応する操作視標を表示する検眼チャート表示欄と、選択した検査項目の検眼チャートに対応する操作視標の操作視標表示欄とを有する操作表示手段と、複数の検査項目に応じた複数の検眼チャートに対応する操作視標を記憶した記憶手段と、被検眼に対する複数の検査項目が任意の順序で登録された項目記憶手段と、複数の検査項目の各々に適合した操作視標を示す操作視標情報を記憶した視標情報記憶手段と、前記項目記憶手段に記憶された任意の順序の検査項目に従って検眼を行う際、視標情報記憶手段を参照して、前記検眼チャート表示欄に表示されている複数の検眼チャートのうちの当該検査項目に適合する単数若しくは複数の操作視標に残余の操作視標と異なる識別情報を付すとともに、識別情報を付した単数の操作視標若しくは複数の操作視標のうちの当該検査項目に最も適合する又は予め記憶されている操作視標を選別して、前記操作視標表示欄に表示させる操作視標判別制御手段とを有することを特徴とするものである。
【００１２】
以下に、本発明の作用を説明する。
【００１３】
請求項１記載の検眼装置において、操作表示手段に複数の検査項目を表示して操作部によりいずれかの検査項目を選択すると、操作視標判別制御手段は、前記検眼チャート表示欄に表示されている複数の検眼チャートのうちの当該選択された検査項目に適合する単数若しくは複数の操作視標に残余の操作視標と異なる識別情報を付して残余の操作視標から明確に区別する。また、操作視標判別制御手段は、前記識別情報を付した単数の操作視標若しくは複数の操作視標のうちの当該検査項目に最も適合する又は記憶手段に予め記憶されている操作視標を選別して、前記操作視標表示欄に表示させる。
【００１４】
これにより、検者は、検査項目を選択するだけで、当該検査項目に適合した最適の操作視標を操作視標表示欄に表示させ、操作視標に対応する検眼チャートを使用した被検者の検眼を直ちに実行でき、検者の操作性の大幅な向上を図ることができる。
【００１５】
請求項２記載の検眼装置において、前記項目記憶手段に記憶された任意の順序の検査項目に従って検眼を行う際、操作視標判別制御手段は、視標情報記憶手段を参照して、前記検眼チャート表示欄に表示されている複数の検眼チャートのうちの当該検査項目に適合する単数若しくは複数の操作視標に残余の操作視標と異なる識別情報を付すとともに、識別情報を付した単数の操作視標若しくは複数の操作視標のうちの当該検査項目に最も適合する又は記憶手段に予め記憶されている操作視標を選別して、前記操作視標表示欄に表示させる。
【００１６】
これにより、任意の順序の検査項目に従って検眼を行う際に、各検査項目に最も適合する操作視標を選別して、前記操作視標表示欄に表示させることができ、これに伴い、当該操作視標に対応する検眼チャートを使用した被検者の検眼を直ちに実行でき、検者の操作性の大幅な向上を図ることができる。
【００１８】
【発明の実施の形態】
以下に本発明の実施の形態を詳細に説明する。
【００１９】
図１は、本実施の形態の自覚検眼を実行する検眼装置１を示すものであり、この検眼装置１は、検眼テーブル２から立設した支柱３及びこの支柱３から水平方向に突設した支持アーム４により支持された多数の球面レンズ、円柱レンズ等を含む光学系を内蔵した検眼ユニット１１と、例えばこの検眼ユニット１１の前方５ｍの位置に配置した視標１０を呈示するチャートユニット（視力表装置）１２と、前記検眼テーブル２上に配置した表示手段６及び入力手段７を備えた操作ユニット８と、マウスポインタｍｐを表示手段６の画面に表示し操作を行う操作部であるマウス９とからなる操作表示手段を有している。
【００２０】
図２は、前記検眼装置１の制御系を示すものであり、この検眼装置１は、被検眼の自覚式検眼の検眼手順を記憶（登録）したメモリ１５及びこのメモリ１５に記憶した被検眼の自覚式検眼の検眼手順に基づき被検眼の自覚式検眼を実行するＣＰＵ１６とからなる検眼制御手段１７とを有している。
【００２１】
前記ＣＰＵ１６に対して、前記表示手段６及び入力手段７と、前記検眼ユニット１１、チャートユニット１２と、各種データを記憶する記憶部１４とを接続している。
【００２２】
さらに、検眼装置１は、伝送手段を構成する通信インターフェース１８と、操作視標判別制御部１９と、項目情報記憶部２０と、複数の操作視標を記憶した視標情報記憶部２１とをＣＰＵ１６に接続している。
【００２３】
前記操作視標判別制御部１９は、後述するような表示手段６の検眼チャート表示欄３５に表示されている複数の検眼チャートに応じた操作視標のうちの選択された検査項目に適合する単数若しくは複数の操作視標に残余の操作視標と異なる識別情報を付す（例えば反転表示又は識別マーク付け）とともに、識別情報を付した単数の操作視標若しくは複数の操作視標のうちの当該検査項目に最も適合する操作視標を選別して、表示手段６の操作視標表示欄３６に表示させるようになっている。
【００２４】
図３は、前記表示手段６の画面の表示例を示すものであり、この画面は、球面度数（Ｓ），円柱度数（Ｃ），軸角度（Ａ），瞳孔間距離（ＰＤ）等を表示する検査数値表示部３１、右眼，左眼、両眼を切り換える被検眼切替えエリア３２、検査項目の表示、球面度数等の切替え操作等を行う操作エリア３３、プレントアウト、球面度数等の切替えステップの設定、プリズム角度の設定等の各種機能設定を行う機能選択エリア３４、完全矯正視力測定用等の視力値チャート，レッドグリーン（Ｒ／Ｇ）チャート，クロスシリンダテストチャート，乱視テストチャート等に各々対応した複数の操作視標を一覧的に表示する検眼チャート表示欄３５、検査項目の選択に対応して複数の操作視標のうちのいずれかを表示する前記操作視標表示欄３６等を備えている。
【００２５】
図４は、前記表示手段６の画面に標準的なプログラム検眼を行う９個の検査項目の一覧リストを表示した例を示すものである。
【００２６】
次に、上述した検眼装置１の作用を図５乃至図８をも参照して説明する。
【００２７】
この検眼装置１において、まず、表示手段２６の画面に標準的なプログラム検眼を行う図４に示すような９個の検査項目を表示してマウス９を操作しマウスポインタｍｐを例えばレッドグリーン（Ｒ／Ｇ）テストの位置に誘導しマウス９のマウス釦をクリックする。
【００２８】
これにより、前記操作視標判別制御部１９は、表示手段６の検眼チャート表示欄３５に表示されている複数の検眼チャートに応じた各操作視標のうちの選択されたレッドグリーンテストの検査項目に適合するレッドグリーンチャートに対応する操作視標を図５に示すように反転させる（斜線を付して示す）とともに、表示手段６の操作視標表示欄３６に表示する。尚、前記操作視標は、左半分がレッド、右半分がグリーンに着色されて表示される。これにより、レッドグリーンテストが実行可能となる。
【００２９】
このとき、前記表示手段６の操作エリア３３の表示状態は図５に示すようになる。
【００３０】
このような操作を行ない、レッドグリーンテストを実行した後、検眼チャート表示欄３５に表示されているクロスシリンダー（軸）テスト用のクロスシリンダーチャートに対応した操作視標にマウスポインタｍｐを誘導してマウス９のマウス釦をクリックすると、図６に示すように、各操作視標のうちの選択されたクロスシリンダーチャートに対応した操作視標が反転表示されるとともに、表示手段６の操作視標表示欄３６には当該操作視標が表示される。これにより、クロスシリンダー（軸）テストが実行可能となる。
【００３１】
このとき、前記表示手段６の操作エリア３３の表示状態は図６に示すようになる。
【００３２】
図４に示す検査項目の一覧リスト中のクロスシリンダー（度）テストを行なう場合も図６に示す場合と同様にしてクロスシリンダーテスト用のクロスシリンダーチャートに対応した操作視標を操作視標表示欄３６に表示して行う。同様に図４に示す検査項目の一覧リスト中の４番目のレッドグリーンテストを実行する場合も図５に示す場合と同じく操作視標表示欄３６にレッドグリーンチャートに対応する操作視標を表示するものである。
【００３３】
次に、図４に示す検査項目の一覧リスト中の完全矯正視力測定を行う場合には、検眼チャート表示欄３５に表示されている視力測定用のチャートに対応した２個の操作視標のいずれかにマウスポインタｍｐを誘導してマウス９のマウス釦をクリックすると、前記操作視標判別制御部１９の動作で、図７に示すように、当該２個の操作視標が共に反転表示されるとともに、操作視標判別制御部１９が最適と判断した一方の操作視標が推奨する操作視標として、即ち、推奨するチャートを示すものとして、表示手段６の操作視標表示欄３６に表示される。これにより、被検者の完全矯正視力測定が実行可能となる。
【００３４】
この場合、操作視標表示欄３６には、前記操作視標に対してマスクをかけるためのマスク枠部４０が縦横配置に表示され、特定の文字等にマスクをかけた表示が可能となる。この場合、前記検眼ユニット１１内のレンズユニットおいても操作視標表示欄３６の表示に対応したマスク処理が行われる。
【００３５】
次に、図４に示す検査項目の一覧リスト中の両眼バランス（偏光）テストを行う場合には、両眼バランステスト用のチャートに対応する操作視標のマウスポインタｍｐを誘導してマウス９のマウス釦をクリックすることで、図８に示すように、この操作視標が反転表示されるとともに、当該操作視標が表示手段６の操作視標表示欄３６に表示される。これにより、被検者の両眼バランステストが実行可能となる。
【００３６】
以下、同様にして標準コースの各検査項目に対応して操作視標をマウス９を使用してクリックするだけで、当該操作視標が表示手段６の操作視標表示欄３６に表示され、対応する検査項目の検眼を実行することが可能となる。
【００３７】
尚、操作視標をマウス９を使用してクリックする場合に、上述した例では操作視標を反転表示するようにしたが、この他、操作視標に対して矢印等のマークを付けたり、点滅させたりする構成とすることも可能である。
【００３８】
次に、被検眼に対する複数の検査項目を上述した場合とは別に検者の都合又は好みで任意の順序で登録し、登録した順序で被検眼に対する検眼を行う場合について説明する。
【００３９】
この場合には、図４に示す標準的な検査項目や、その他乱視テスト、十字斜位テスト、マドックステスト等の各種検査項目を任意に選択し、入力手段７等を用いて前記項目情報記憶部２０に登録する。
【００４０】
さらに、検査項目の各々に適合した操作視標を示す操作視標情報を前記視標情報記憶部２１に登録する。
【００４１】
そして、前記項目情報記憶部２０に記憶された任意の順序の検査項目に従って検眼を行う際、前記操作視標判別制御部１９により、視標情報記憶部２１を参照して、前記検眼チャート表示欄３５に表示されている複数の検眼チャートのうちの当該検査項目に適合する単数若しくは複数の操作視標に残余の操作視標と異なる識別情報（反転表示等）を付すとともに、識別情報を付した単数の操作視標若しくは複数の操作視標のうちの当該検査項目に最も適合する又は視標情報記憶部２１に記憶した操作視標を選別して、前記操作視標表示欄３６に表示させる。
【００４２】
これにより、任意の順序の検査項目に従って検眼を行う際に、各検査項目に最も適合する操作視標を選別して、前記操作視標表示欄３６に表示させることができ、これに伴い、当該操作視標に対応する検眼チャートを使用した被検者の検眼を直ちに実行でき、検者の操作性の大幅な向上を図ることができる。
【００４３】
次に、複数台の検眼装置１を備えた検眼システムを構築する場合について説明する。
【００４４】
この場合には、図９に示すように、複数台の検眼装置１の各通信インターフエース１８間を例えば通信ケーブル５０で接続し、例えば一台目の検眼装置１の記憶部１４に登録した検眼手順等を、通信ケーブル５０、通信インターフエース１８を介して他の検眼装置１の記憶部１４に送信して登録すれば良い。これにより、複数台の検眼装置１を備える場合の検眼手順の登録の便宜を図り登録能率を向上させることができる。また、複数台の検眼装置１各々に赤外線通信インターフェースを備えた構成でも、同様に検眼システムを構築することができる。
【００４５】
本発明は上述した実施の形態の他、その要旨の範囲内で種々の変形が可能である。
【００４６】
【発明の効果】
以上説明した本発明によれば以下の効果を奏する。
【００４７】
請求項１記載の発明によれば、検者は、検査項目を選択するだけで、当該検査項目に適合した最適の操作視標を操作視標表示欄に表示させ、操作視標に対応する検眼チャートを使用した被検者の検眼を直ちに実行でき、検者の操作性の大幅な向上を図ることができる検眼装置を提供することができる。
【００４８】
請求項２記載の発明によれば、任意の順序の検査項目に従って検眼を行う際に、各検査項目に最も適合する操作視標を選別して、前記操作視標表示欄に表示させることができ、検者の操作性の大幅な向上を図ることができる検眼装置を提供することができる。
【図面の簡単な説明】
【図１】本発明の実施の形態の検眼装置を示す斜視図である。
【図２】本実施の形態の検眼装置を示すブロックである。
【図３】本実施の形態の検眼装置の表示手段の表示例を示す拡大図である。
【図４】本実施の形態の検眼装置の表示手段に検査項目リストを表示した例を示す拡大図である。
【図５】本実施の形態の検眼装置においてレッドグリーンテストを選択する場合の表示手段の表示例を示す拡大図である。
【図６】本実施の形態の検眼装置においてクロスシリンダーテストを選択する場合の表示手段の表示例を示す拡大図である。
【図７】本実施の形態の検眼装置において完全視力矯正テストを選択する場合の表示手段の表示例を示す拡大図である。
【図８】本実施の形態の検眼装置において両眼バランステストを選択する場合の表示手段の表示例を示す拡大図である。
【図９】本発明の実施の形態の検眼システムの構築例を示す斜視図である。
【符号の説明】
１  検眼装置
２  検眼テーブル
６  表示手段
７  入力手段
９  マウス９
１１  検眼ユニット
１２  チャートユニット
１４  記憶部
１６  ＣＰＵ
１８  通信インターフェース
１９  操作視標判別制御部
２０  項目情報記憶部
２１  指標情報記憶部
【図１】
0003803455.tif 000002
【図２】
0003803455.tif 000003
【図３】
0003803455.tif 000004
【図４】
0003803455.tif 000005
【図５】
0003803455.tif 000006
【図６】
0003803455.tif 000007
【図７】
0003803455.tif 000008
【図８】
0003803455.tif 000009
【図９】
0003803455.tif 000010